【事件の表示】
　特願２０１５−　　３９１４「リポ酸を含むコンパニオンアニマル用組成物およびその使用の方法」拒絶査定不服審判事件〔平成２７年　７月　２日出願公開、特開２０１５−１１９７１０、請求項の数（６）〕について、次のとおり審決する。
【結　論】
　原査定を取り消す。
　本願の発明は、特許すべきものとする。
【理　由】
第１　手続の経緯
　本願は、２００９年（平成２１年）１２月２９日（パリ条約による優先権主張外国庁受理　２００８年１２月３０日　米国）を国際出願日とする特願２０１１―５４４５８５号の一部を、平成２７年１月１３日に新たな特許出願としたものであって、平成２７年２月１０日に手続補正書が提出され、平成２８年１月２８日付けで拒絶理由が通知され、同年４月２８日付けで意見書が提出されたが、同年９月５日付けで拒絶査定（原査定）がされ、これに対して、平成２９年１月６日に拒絶査定不服審判の請求がされ、それと同時に手続補正がされ、その後当審において平成３０年４月５日付けで拒絶理由が通知され、同年７月９日付けで意見書及び手続補正書が提出されたものである。
第２　本願発明
　本願の請求項１ないし６に係る発明（以下それぞれ「本願発明１」ないし「本願発明６」という。）は、平成３０年７月９日になされた手続補正により補正された特許請求の範囲の請求項１ないし６に記載された事項により特定されるとおりのものであり、本願発明１、４及び５は以下のとおりである。
「　　【請求項１】
　それを必要とするコンパニオンアニマルにおいて変性関節病を予防または処置するために有効な量のリポ酸を含むペットフード組成物を投与することを含む、コンパニオンアニマルにおいて変性関節病を予防または処置する方法であって、前記の変性関節病を予防または処置するために有効なリポ酸の量が、乾燥物質基準でペットフード組成物の１００ｐｐｍ〜２００ｐｐｍであり、投与の量は、１日あたり、５ｍｇ／動物のｋｇ体重を超えず、
　コンパニオンアニマルがイヌであり、
　前記ペットフード組成物が、小麦、ミロ、トウモロコシ、挽いたニワトリ、コーングルテンミール、家禽ミール、大豆油、亜麻仁、米・醸造用（rice brewers）、大豆粕、テンサイパルプ、クエン酸塩、魚油、DL-メチオニン、L-リシン、炭酸カルシウム、コリン、L-スレオニン、ビタミンＥ及びL-トリプトファンを含む方法。
　　【請求項４】
　コンパニオンアニマルにおいて体重の減少を誘導するために有効な量のリポ酸を含むペットフード組成物を投与することを含む、コンパニオンアニマルにおいて体重の減少を誘導する方法であって、前記のコンパニオンアニマルにおいて体重の減少を誘導するために有効なリポ酸の量が、乾燥物質基準でペットフード組成物の１００ｐｐｍ〜２００ｐｐｍであり、投与の量は、１日あたり、５ｍｇ／動物のｋｇ体重を超えず、
　コンパニオンアニマルがイヌであり、
　前記ペットフード組成物が、小麦、ミロ、トウモロコシ、挽いたニワトリ、コーングルテンミール、家禽ミール、大豆油、亜麻仁、米・醸造用（rice brewers）、大豆粕、テンサイパルプ、クエン酸塩、魚油、DL-メチオニン、L-リシン、炭酸カルシウム、コリン、L-スレオニン、ビタミンＥ及びL-トリプトファンを含む方法。
　　【請求項５】
　有効量のリポ酸を含むペットフード組成物を投与することを含む、コンパニオンアニマルにおける肥満を予防または処置する方法であって、前記のリポ酸の有効量が、乾燥物質基準でペットフード組成物の１００ｐｐｍ〜２００ｐｐｍであり、投与の量は、１日あたり、５ｍｇ／動物のｋｇ体重を超えず、
　コンパニオンアニマルがイヌであり、
　前記ペットフード組成物が、小麦、ミロ、トウモロコシ、挽いたニワトリ、コーングルテンミール、家禽ミール、大豆油、亜麻仁、米・醸造用（rice brewers）、大豆粕、テンサイパルプ、クエン酸塩、魚油、DL-メチオニン、L-リシン、炭酸カルシウム、コリン、L-スレオニン、ビタミンＥ及びL-トリプトファンを含む方法。」
　なお、本願発明２、３及び６の概要は以下のとおりである。
　本願発明２及び３は、本願発明１を減縮した発明である。
　本願発明６は、本願発明５を減縮した発明である。
第３　引用文献の記載事項、引用発明
１　原査定の拒絶の理由に引用され、本願の優先日前に頒布された刊行物である引用文献１（特表２００８−５１９８３８号公報）には、次の事項が記載されている（下線は当審において付加した。）。
（引１−ア）「【０００５】
　発明の概要
　本発明は
老齢哺乳動物において遺伝子発現を調節する方法
酸化防止剤含有組成物
を哺乳動物に投与することを含む
【０００６】
　
種々の態様では、老齢哺乳動物は
伴侶動物、イヌ
である
　ある態様では、発現が調節される１以上の遺伝子のそれぞれは独立して、シトクロムＰ４５０ファミリー遺伝子、アポリポタンパク質ファミリー遺伝子、血液動態特性を制御する１以上の産物をコードする遺伝子、熱ショックタンパク質ファミリー遺伝子、ＤＮＡ損傷を表す１以上の産物をコードする遺伝子、細胞周期を制御する１以上の産物をコードする遺伝子、炎症誘発性遺伝子、クロム親和性分泌経路に関連する１以上のタンパク質をコードする遺伝子、遺伝子転写を制御する１以上の産物をコードする遺伝子、ＮＦ−ＫＢ経路遺伝子、免疫機能に関連する１以上の産物をコードする遺伝子、１以上の解糖系酵素をコードする遺伝子、１以上のミトコンドリア酸化経路タンパク質をコードする遺伝子、または１以上のリボソームタンパク質をコードする遺伝子である。」
（引１−イ）「【０００８】
　ある態様では、１以上の遺伝子の発現の調節は副腎、肝臓、または大脳皮質の中の１カ所以上で行われる。
　ある態様では、酸化防止剤含有組成物は老齢哺乳動物に与えられる。
【０００９】
　ある態様では、組成物はビタミンＥ、ビタミンＣ、または両方を含有する。
　ある態様では、組成物はビタミンＥ、ビタミンＣ、
リポ酸
酸化防止剤
【００１０】
　ある態様では、組成物はホウレンソウポマス、トマトポマス、柑橘類果肉、ブドウポマス、ニンジン顆粒、ブロッコリー、緑茶、コーングルテンミール、米糠、藻類、クルクミン、セレン、およびその混合物から選択される１以上の酸化防止剤を含有する。
【００１１】
　ある態様では、組成物はニンジン顆粒、ブロッコリー、緑茶、コーングルテンミール、米糠、藻類、クルクミン、セレン、およびその混合物から選択される１以上の酸化防止剤を含有する。
【００１２】
　ある態様では、組成物はビタミンＥ、ビタミンＣ、果物（類）、野菜（類）、カロテノイド（類）、フラボノイド（類）、ポリフェノール（類）、およびその混合物から選択される１以上の酸化防止剤を含有する。」
（引１−ウ）「【００１６】
　本発明の方法および組成物は多様な老齢哺乳動物に有用であってもよいことが企図される。
　本発明の種々の態様では、哺乳動物は非ヒト哺乳動物である。たとえば、非ヒト哺乳動物は伴侶動物（たとえば、イヌ、ネコ）、霊長類（たとえば、サル、ヒヒ）、反芻動物（たとえば、ウシ、ヒツジ、ヤギ、ウマ）、または齧歯類（たとえば、マウス、ラット、モルモット）であってもよい。
【００１７】
　種々の態様では、非ヒト哺乳動物は伴侶動物、イヌ、またはネコである。
　本明細書で使用する“老齢”哺乳動物という用語は年老いた哺乳動物を表す。たとえば、老齢犬は少なくとも７歳のイヌであり；そして老齢猫は少なくとも７歳の猫である。
【００１８】
　本発明の方法は哺乳動物への多様な酸化防止剤含有組成物の投与を企図する。企図された組成物には、たとえばフード、サプリメント、トリート、おもちゃ（典型的にはかみ砕け、消耗できるおもちゃ）が挙げられる。酸化防止剤含有組成物は、フード摂取量の構成要素として哺乳動物に与えることができる。哺乳動物のフード摂取量はその通常の栄養素の必要条件を満たすことができ、当業者は哺乳動物の種、年齢、性、体重、およびその他の因子に基づいてそれを決定することができる。たとえば、１〜６歳のイヌの典型的なフード摂取量は約２３％のタンパク質（乾物の％）、約１５％の脂肪（乾物の％）、約０．６％のリン（乾物の％）、および約０．３％のナトリウム（乾物の％）を含有し；さらに老齢のイヌおよびネコの典型的なフード摂取量（乾物の％）は表１に提供される。
【００１９】
【表１】
　　　　　　　　　　　　　　　　　　　　　　　　　　　　　　　　」
（引１−エ）「【００２０】
　種々の態様では、１以上の遺伝子の発現を調節する方法は、酸化防止剤の組み合わせまたは混合物を含む１以上の酸化防止剤を哺乳動物に投与することを含む。酸化防止剤は直接フリーラジカルを消滅させるか、または間接的にフリーラジカルの消滅を引き起こすいずれかの物質である。当業者は、多様な物質がフリーラジカルを消滅させるか、吸収する能力を有することを理解している。たとえば、以下はフリーラジカル吸収能力（“ＯＲＡＣ”）含有量が高い生の成分である：ホウレンソウポマス、トマトポマス、柑橘類果肉、ブドウポマス、ニンジン顆粒、ブロッコリー、緑茶、イチョウ葉エキス、コーングルテンミール、藻類、クルクミン、アスタキサンチン、ベータ‐カロテン、ニンジン、グルタチオン、緑茶、ルテイン、リコペン、Ｎ−アセチルシステイン、ポリフェノール類、大豆イソフラボン類、ホウレンソウ、Ｓ−アデノシルメチオニン、含硫アミノ酸、タウリン、トコトリエノール類、ビタミンＣ、およびビタミンＥ。たとえば、ホウレンソウポマス、トマトポマス、柑橘類果肉、ブドウポマス、およびニンジン顆粒が１％含有物（コーンのように低いＯＲＡＣ成分の場合、全部で５％の置換）として組成物に添加された場合、それらは組成物全体のＯＲＡＣ含有量と組成物を食べた動物の血漿中のＯＲＡＣ含有量の両方を増加させた。
【００２１】
　多くの態様では、酸化防止剤は、たとえばアスタキサンチン（３，３′−ジヒドロキシ−４，４′，−ジケト−ベータ−カロテン）、ベータ−カロテン、コエンザイムＱ１０（ユビキノン）、グルタチオン、Ｌ−カルニチン、リポ酸、ルテイン、リコペン、Ｎ−アセチルシステイン、フラボノイドのようなポリフェノール、Ｓ−アデノシルメチオニン、セレン、大豆イソフラボン、タウリン、トコトリエノール、ビタミンＣ、またはビタミンＥであってもよい。
【００２２】
　別の態様では、酸化防止剤は、フードまたはフード製品、たとえば、ホウレンソウ（たとえば、ホウレンソウポマス）、トマト（トマトポマス）、柑橘類（たとえば、柑橘類果肉）、ブドウ（たとえば、ブドウポマス）、ニンジン（たとえば、ニンジン顆粒）、ブロッコリー、緑茶、イチョウ、コーングルテンミール、米糠、藻類、クルクミン、海洋性オイル、もしくは酵母（たとえば、セレン酵母）またはその混合物であってもよい。
【００２３】
　別の態様では、酸化防止剤は生の成分、たとえば、生のホウレンソウポマス、生のトマトポマス、生の柑橘類果肉、生のブドウポマス、生のニンジン顆粒、生のブロッコリー、生の緑茶、生のイチョウ葉エキス、生のコーングルテンミール、生の米糠、またはその混合物であってもよい。
【００２４】
　ある態様では、酸化防止剤含有組成物はビタミンＥ、ビタミンＣ、またはビタミンＥとビタミンＣの両方を含有してもよい。
　別の態様では、酸化防止剤含有組成物はビタミンＥ、ビタミンＣ、Ｌ−カルニチン、およびリポ酸から選択される１以上の酸化防止剤を含有してもよい。
【００２５】
　ある態様では、ビタミンＥはトコフェロール、トコフェロール類の混合物、および／またはエステル誘導体、たとえば、ビタミンＥのアセテート、スクシネート、またはパルミテートエステルのような種々のその誘導体として投与されてもよい。本明細書で使用するビタミンＥは、哺乳動物による摂取後にビタミンＥ様の活性を提供する形状および誘導体を包含する。ビタミンＥはアルファ、ベータ、ガンマ、またはデルタ配置の状態であってもよい。さらに、ビタミンＥはそのｄ−立体異性体配置、またはラセミ混合物としてのいずれかの状態であってもよい。
【００２６】
　ビタミンＣは、アスコルビン酸、またはその種々の誘導体、たとえばアスコルビン酸のカルシウムリン酸塩、アスコルビン酸のコレステリル塩、またはアスコルベート−２−モノホスフェートとして哺乳動物に投与してもよい。ビタミンＣまたはその誘導体は、いずれかの物理的形状、たとえば、液体、半固体、固体または熱安定性の形状であってもよい。
【００２７】
　リポ酸はアルファ‐リポ酸またはリポエート塩もしくはエステル、たとえば、米国特許第５，６２１，１１７号に記載のリポ酸の異性体であってもよい。本明細書で使用する“アルファ‐リポ酸”は“リポ酸”と同義語である。リポ酸は種々の形状、たとえば、ラセミ混合物、塩（類）、エステル（類）、および／またはアミド（類）で投与されてもよい。
【００２８】
　Ｌ−カルニチンは誘導体の形状、たとえば塩（たとえば、塩酸塩）、エステル（たとえば、フマレートエステルまたはスクシネートエステル）、またはアセチル化Ｌ−カルニチンの
状態であってもよい。」
（引１−オ）「【００２９】
　ある態様では、
酸化防止剤または酸化防止剤の混合物は、哺乳動物にフードの構成要素
として与えられ
フード中に投与される量はすべてフードのｗｔ％（乾物基準）であり
酸化防止剤、またはその混合物はそれらが与えられた哺乳動物の１以上の遺伝子を調節するために有効な量で哺乳動物に与えられる
【００３０】
　ある態様では、組成物のビタミンＥ含有量は少なくとも約２５０ｐｐｍ、少なくとも約５００ｐｐｍ、または少なくとも約１，０００ｐｐｍからである。必要ではないが、一般に約２，０００ｐｐｍ、または約１，５００ｐｐｍの最大量を超えない。
【００３１】
　ある態様では、組成物のビタミンＣ含有量は少なくとも約５０ｐｐｍ、少なくとも約７５ｐｐｍ、または少なくとも約１００ｐｐｍから、約１，０００ｐｐｍまで、約５，０００ｐｐｍまで、または約１０，０００ｐｐｍまでである。
【００３２】
　ある態様では、組成物のリポ酸含有量は少なくとも約２５ｐｐｍ、少なくとも約５０ｐｐｍ、または少なくとも約１００ｐｐｍから、約１００ｐｐｍ、もしくは約６００ｐｐｍまで、または哺乳動物に毒性でない量までである。
【００３３】
　別の態様では、リポ酸含有量の範囲は約１００ｐｐｍから約２００ｐｐｍまでであってもよい。
　ある態様では、イヌの場合のＬ−カルニチン含有量は最少で約５０ｐｐｍ、約２００ｐｐｍ、または約３００ｐｐｍであってもよい。ネコの場合わずかに高いＬ−カルニチンの最少値、たとえば約１００ｐｐｍ、約２００ｐｐｍ、または約５００ｐｐｍが使用されてもよい。非毒性最大量、たとえば約５，０００ｐｐｍ未満を使用してもよい。イヌの場合、より少ない量、たとえば約５，０００ｐｐｍ未満が使用されてもよい。イヌの場合、範囲は約２００ｐｐｍから約４００ｐｐｍまでであってもよい。ネコの場合範囲は約４００ｐｐｍから約６００ｐｐｍであってもよい。
【００３４】
　種々の態様では、約１ｐｐｍから約１５ｐｐｍまでのベータ−カロテン、約０．１から約５ｐｐｍまでのセレン、少なくとも約５ｐｐｍのルテイン、少なくとも約２５ｐｐｍのトコトリエノール（類）、少なくとも約２５ｐｐｍのコエンザイムＱ１０、少なくとも約５０ｐｐｍのＳ−アデノシルメチオニン、少なくとも約５００ｐｐｍのタウリン、少なくとも約２５ｐｐｍのダイズイソフラボン（類）、少なくとも約５０ｐｐｍのＮ−アセチルシステイン、少なくとも約５０ｐｐｍのグルタチオン、少なくとも５０ｐｐｍのイチョウ葉エキスが独立して、または種々の組み合わせにおいて使用されてもよい。」
（引１−カ）「【００４３】
　ある態様では、炎症誘発性遺伝子は、たとえば、ヒスチジンデカルボキシラーゼ（Ｈｄｃ）、活性化白血球接着分子（Ａｌｃａｍ）、プロトカドヘリンアルファ４（Ｐｃｄｈａ４）、好中球サイトゾル因子４（Ｎｃｆ４）、肥満細胞プロテアーゼ５（Ｍｃｐｔ５）、カテプシンＳ（Ｃｔｓｓ）、カドヘリン２（Ｃｄｈ２）、接合部細胞接着分子３（Ｊｃａｍ３）、マクロファージ発現遺伝子１（Ｍｐｅｇ１）、カテプシンＢ（Ｃｔｓｂ）、カルサイクリン結合タンパク質（Ｃａｃｙｂｐ）、パラオキソナーゼ２（Ｐｏｎ２）、Ｐリゾチーム構造（Ｌｚｐ−ｓ）、ロイコトリエンＢ４１２−ヒドロキシデヒドロゲナーゼ（Ｌｔｂ４ｄｈ）、リソソーム酸リパーゼ１（Ｌｉｐ１）、リゾチーム（Ｌｙｚｓ）、またはヒスチジンアンモニアリアーゼ（Ｈａｌ）をコードする遺伝子であってもよい。」
（引１−キ）「【００５０】
　種々の態様では、本発明はシトクロムＰ４５０ファミリー遺伝子の発現を増加させること、アポリポタンパク質ファミリー遺伝子の発現を増加させること、血液動態特性を制御する産物（複数の産物）をコードする遺伝子の発現を増加させること、熱ショックタンパク質ファミリー遺伝子の発現を減少させること、ＤＮＡ損傷を表す遺伝子産物の発現を減少させること、産物（複数の産物）が細胞周期を制御する遺伝子の発現を減少させること、炎症誘発性遺伝子の発現を減少させること、クロム親和性分泌経路に関連するタンパク質をコードする遺伝子の発現を減少させること、発現産物（複数の産物）が遺伝子転写を制御する遺伝子の発現を減少させること、ＮＦ−ＫＢ経路遺伝子の発現を減少させること、免疫機能に関連する産物（複数の産物）をコードする遺伝子の発現を減少させること、解糖系酵素（複数の酵素）をコードする遺伝子の発現を減少させること、ミトコンドリア酸化経路タンパク質（複数のタンパク質）をコードする遺伝子の発現を減少させること、またはリボソームタンパク質（複数のタンパク質）をコードする遺伝子の発現を減少させることを企図する。」
（引１−ク）「【００５２】
　ある態様では、本発明は１以上の酸化防止剤を哺乳動物に投与することを含む、加齢に伴う哺乳動物の認知および／または身体機能の劣化を治療、予防、阻止、または覆すための方法を提供し、そのような酸化防止剤の総量は１以上の遺伝子の発現を調節するために有効である。ある態様では、それらの方法は哺乳動物の酸化状態を改善する。
【００５３】
　加齢に関連した認知機能は、精神的劣化、たとえば記憶喪失または障害、学習障害、見当識障害、および精神覚醒の低下の症状を指すことができる。
　加齢に伴う身体機能には、たとえば、筋肉機能の劣化または障害、血管機能の劣化または障害、視覚の劣化または障害、聴覚の劣化または障害、嗅覚の劣化または障害、皮膚または外被特性の劣化または障害、骨および関節健康状態の劣化、腎臓健康状態の劣化、腸機能の劣化または障害、免疫機能の劣化または障害、インスリン感受性の劣化または障害、および／または炎症反応の劣化または障害の徴候を挙げることができる。
【００５４】
　ある態様では、本発明は哺乳動物の酸化状態を評価するための方法を提供する。これらの方法は、１以上の遺伝子、たとえば本明細書に記載の遺伝子の発現レベルを測定することを含んでいてもよい。種々の態様では、それらの方法はさらに、１以上の組織、たとえば副腎、肝臓、または大脳皮質におけるそれらの遺伝子の少なくとも１種の発現レベルを測定することを含んでいてもよい。
【００５５】
　ある態様では、本発明は哺乳動物の遺伝子発現に対するカロリー制限の効果を模倣する方法を提供する。ある側面では、カロリー制限は化学的代謝過程に由来する損傷、とりわけ酸化的損傷を軽減させる。別の側面では、カロリー制限は体重管理に有用である。これらの方法は、ミトコンドリア酸化経路に関連する解糖系酵素（複数の酵素）またはタンパク質（複数のタンパク質）をコードする１以上の遺伝子を調節するために有効な量において１以上の酸化防止剤を哺乳動物に投与することを含んでいてもよい。したがって、本発明の方法は、哺乳動物の体重を管理することにおいても有用である。本明細書で使用する体重の“管理”とは、体重減少、体重増加、または現在の体重の維持を含んでいてもよい。」
２　引用文献１に記載された発明の認定
　（引１−ア）ないし（引１−ク）の記載から、引用文献１には、
「　老齢哺乳動物において遺伝子発現を調節する方法であって、
　酸化防止剤含有組成物を老齢哺乳動物に投与することを含み、
　酸化防止剤又は酸化防止剤の混合物は、老齢哺乳動物にフードの構成要素として与えられ、
　酸化防止剤又はその混合物はそれらが与えられた老齢哺乳動物の１以上の遺伝子を調節するために有効な量で老齢哺乳動物に与えられ、
　老齢哺乳動物は伴侶動物、イヌを含む、方法。」
の発明（以下「引用発明」という。）が記載されている。
第４　対比・判断
１　本願発明１について
（１）本願発明１と引用発明とを対比すると、次のことがいえる。
ア　引用発明の「伴侶動物」及び「イヌ」は、それぞれ本願発明１の「コンパニオンアニマル」及び「イヌ」に相当する。
イ　引用発明の「遺伝子発現を調節する」ことと、本願発明１の「変性関節病を予防または処置する」こととは、「処置する」ことである点において共通する。
ウ　引用発明の「酸化防止剤又は酸化防止剤の混合物」と、本願発明１の「リポ酸」とは、「有効成分」である点において共通する。
エ　引用発明の「フード」は、酸化防止剤含有組成物であって、伴侶動物であるイヌに与えられるものであるから、本願発明１の「ペットフード組成物」に相当する。
オ　引用発明は「老齢哺乳動物において遺伝子発現を調節する方法」であるところ、酸化防止剤含有組成物が投与される老齢哺乳動物である伴侶動物が、遺伝子発現の調節を必要としていることは明らかである。
カ　引用発明は「酸化防止剤又はその混合物はそれらが与えられた老齢哺乳動物の１以上の遺伝子を調節するために有効な量で老齢哺乳動物に与えられ」るものである。
キ　上記オ及びカを踏まえると、引用発明は、本願発明１の「それを必要とするコンパニオンアニマルにおいて変性関節病を予防または処置するために有効な量のリポ酸を含むペットフード組成物を投与すること」と、「それを必要とするコンパニオンアニマルにおいて処置するために有効な量の有効成分を含むペットフード組成物を投与すること」である点において共通する構成を備えているといえる。
（２）よって、本願発明１と引用発明とは、
「　それを必要とするコンパニオンアニマルにおいて処置するために有効な量の有効成分を含むペットフード組成物を投与することを含む、コンパニオンアニマルにおいて処置する方法であって、
　コンパニオンアニマルがイヌである、方法。」
の発明である点で一致し、次の２点で相違する。
（相違点１）
　処置する方法が、本願発明１においては、「変性関節病を予防または処置する方法」であって、有効成分が「リポ酸」であり、「変性関節病を予防または処置するために有効なリポ酸の量が、乾燥物質基準でペットフード組成物の１００ｐｐｍ〜２００ｐｐｍであり、投与の量は、１日あたり、５ｍｇ／動物のｋｇ体重を超え」ないのに対し、引用発明においては、「遺伝子発現を調節する方法」であって、有効成分が「酸化防止剤又は酸化防止剤の混合物」であり、フードに含まれる酸化防止剤又は酸化防止剤の混合物の具体的な量、及び１日あたりの投与の量は特定されていない点。
（相違点２）
　ペットフード組成物が、本願発明１においては、「小麦、ミロ、トウモロコシ、挽いたニワトリ、コーングルテンミール、家禽ミール、大豆油、亜麻仁、米・醸造用（rice brewers）、大豆粕、テンサイパルプ、クエン酸塩、魚油、DL-メチオニン、L-リシン、炭酸カルシウム、コリン、L-スレオニン、ビタミンＥ及びL-トリプトファンを含む」のに対し、引用発明においては、そのような特定はされていない点。
（３）相違点についての判断
ア　上記相違点１について検討する。
　（引１−オ）の段落【００３３】には、多数ある酸化防止剤のうちの一種類としてリポ酸が記載されており、そのフード中の含有量として約１００ｐｐｍから約２００ｐｐｍまでであることも記載されているが、それは遺伝子発現の調節のために用いる酸化防止剤としての一例であり、本願発明１のような「変性関節病を予防または処置」する「方法」に用いられることは、何ら記載も示唆もされていない。
　してみれば、引用発明において酸化防止剤としてリポ酸を選択し、「遺伝子発現の調節」の「方法」に代えて「変性関節病を予防または処置」する「方法」に用いることは、引用文献１に接した当業者といえども容易になし得たこととはいえない。
　したがって、上記相違点１に係る本願発明１の発明特定事項は、当業者が容易になし得たものではない。
イ　よって、上記相違点２について判断するまでもなく、本願発明１は、引用発明及び引用文献１に記載の技術的事項に基づいて、当業者が容易に発明をすることができたとはいえない。
２　本願発明２及び３について
　本願発明２及び３も、本願発明１の「変性関節病を予防または処置する方法」において「リポ酸」を投与するとの構成を備えるものであるから、本願発明１と同じ理由により、引用発明及び引用文献１に記載の技術的事項に基づいて、当業者が容易に発明をすることができたとはいえない。
３　本願発明４について
（１）本願発明４は、コンパニオンアニマルにおいて体重の減少を誘導する方法に係る発明であるところ、上記１（１）の本願発明１と引用発明との対比に倣って本願発明４と引用発明とを対比すると、両者は、
「　コンパニオンアニマルにおいて処置するために有効な量の有効成分を含むペットフード組成物を投与することを含む、コンパニオンアニマルにおいて処置する方法であって、
　コンパニオンアニマルがイヌである、方法。」
の発明である点で一致し、次の２点で相違する。
（相違点３）
　処置する方法が、本願発明４においては、「体重の減少を誘導する方法」であって、有効成分が「リポ酸」であり、「体重の減少を誘導するために有効なリポ酸の量が、乾燥物質基準でペットフード組成物の１００ｐｐｍ〜２００ｐｐｍであり、投与の量は、１日あたり、５ｍｇ／動物のｋｇ体重を超え」ないのに対し、引用発明においては、「遺伝子発現を調節する方法」であって、有効成分が「酸化防止剤又は酸化防止剤の混合物」であり、フードに含まれる酸化防止剤又は酸化防止剤の混合物の具体的な量、及び１日あたりの投与の量は特定されていない点。
（相違点４）
　ペットフード組成物が、本願発明４においては、「小麦、ミロ、トウモロコシ、挽いたニワトリ、コーングルテンミール、家禽ミール、大豆油、亜麻仁、米・醸造用（rice brewers）、大豆粕、テンサイパルプ、クエン酸塩、魚油、DL-メチオニン、L-リシン、炭酸カルシウム、コリン、L-スレオニン、ビタミンＥ及びL-トリプトファンを含む」のに対し、引用発明においては、そのような特定はされていない点。
（２）相違点についての判断
ア　上記相違点３について検討する。
　（引１−オ）の段落【００３３】には、多数ある酸化防止剤のうちの一種類としてリポ酸が記載されており、そのフード中の含有量として約１００ｐｐｍから約２００ｐｐｍまでであることも記載されているが、それは遺伝子発現の調節のために用いる酸化防止剤としての一例であり、本願発明４のような「体重の減少を誘導」する「方法」に用いられることは、何ら記載も示唆もされていない。
　してみれば、引用発明において酸化防止剤としてリポ酸を選択し、「遺伝子発現の調節」の「方法」に代えて「体重の減少を誘導」する「方法」に用いることは、引用文献１に接した当業者といえども容易になし得たこととはいえない。
　したがって、上記相違点３に係る本願発明４の発明特定事項は、当業者が容易になし得たものではない。
イ　よって、上記相違点４について判断するまでもなく、本願発明４は、引用発明及び引用文献１に記載の技術的事項に基づいて、当業者が容易に発明をすることができたとはいえない。
４　本願発明５について
（１）本願発明５は、コンパニオンアニマルにおける肥満を予防または処置する方法に係る発明であるところ、上記１（１）の本願発明１と引用発明との対比に倣って本願発明５と引用発明とを対比すると、両者は、
「　有効量の有効成分を含むペットフード組成物を投与することを含む、コンパニオンアニマルにおける処置する方法であって、
　コンパニオンアニマルがイヌである、方法。」
の発明である点で一致し、次の２点で相違する。
（相違点５）
　処置する方法が、本願発明５においては、「肥満を予防または処置する方法」であって、有効成分が「リポ酸」であり、「リポ酸の有効量が、乾燥物質基準でペットフード組成物の１００ｐｐｍ〜２００ｐｐｍであり、投与の量は、１日あたり、５ｍｇ／動物のｋｇ体重を超え」ないのに対し、引用発明においては、「遺伝子発現を調節する方法」であって、有効成分が「酸化防止剤又は酸化防止剤の混合物」であり、フードに含まれる酸化防止剤又は酸化防止剤の混合物の具体的な量、及び１日あたりの投与の量は特定されていない点。
（相違点６）
　ペットフード組成物が、本願発明５においては、「小麦、ミロ、トウモロコシ、挽いたニワトリ、コーングルテンミール、家禽ミール、大豆油、亜麻仁、米・醸造用（rice brewers）、大豆粕、テンサイパルプ、クエン酸塩、魚油、DL-メチオニン、L-リシン、炭酸カルシウム、コリン、L-スレオニン、ビタミンＥ及びL-トリプトファンを含む」のに対し、引用発明においては、そのような特定はされていない点。
（２）相違点についての判断
ア　上記相違点５について検討する。
　（引１−オ）の段落【００３３】には、多数ある酸化防止剤のうちの一種類としてリポ酸が記載されており、そのフード中の含有量として約１００ｐｐｍから約２００ｐｐｍまでであることも記載されているが、それは遺伝子発現の調節のために用いる酸化防止剤としての一例であり、本願発明１のような「肥満を予防または処置」する「方法」に用いられることは、何ら記載も示唆もされていない。
　してみれば、引用発明において酸化防止剤としてリポ酸を選択し、「遺伝子発現の調節」の「方法」に代えて「肥満を予防または処置」する「方法」に用いることは、引用文献１に接した当業者といえども容易になし得たこととはいえない。
　したがって、上記相違点５に係る本願発明５の発明特定事項は、当業者が容易になし得たものではない。
イ　よって、上記相違点６について判断するまでもなく、本願発明５は、引用発明及び引用文献１に記載の技術的事項に基づいて、当業者が容易に発明をすることができたとはいえない。
５　本願発明６について
　本願発明６も、本願発明５の「肥満を予防または処置する方法」において「リポ酸」を投与するとの構成を備えるものであるから、本願発明５と同じ理由により、引用発明及び引用文献１に記載の技術的事項に基づいて、当業者が容易に発明をすることができたとはいえない。
第５　原査定の概要及び原査定についての判断
　原査定の概要は、本願の請求項１ないし３１に係る発明は、その優先日前に日本国内又は外国において頒布された刊行物である引用文献１：特表２００８−５１９８３８号公報に記載された発明に基いて、その優先日前にその発明の属する技術の分野における通常の知識を有する者が容易に発明をすることができたものであるから、特許法第２９条第２項の規定により特許を受けることができないというものである。
　しかしながら、平成２９年１月６日になされた手続補正により補正された請求項１、５及び６は、それぞれ「変性関節病を予防または処置する方法」、「体重の減少を誘導する方法」及び「肥満を予防または処置する方法」において「リポ酸」を投与するという構成を有するものとなっており、上記のとおり、それらの構成を有する本願発明１ないし６は、上記引用文献１に記載された発明及び引用文献１に記載の技術的事項に基づいて、当業者が容易に発明をすることができたものではない。
　したがって、原査定を維持することはできない。
第６　当審拒絶理由について
１　当審では、請求項１、５及び６に記載された「１００ｐｐｍ〜２００ｐｐｍ」が、何におけるリポ酸の濃度を表すのかが不明瞭であるとの拒絶の理由を通知しているが、平成３０年７月９日になされた手続補正により、補正前の請求項１、５及び６に対応する請求項１、４及び５において「乾燥物質基準でペットフード組成物の１００ｐｐｍ〜２００ｐｐｍ」と補正された結果、この拒絶理由は解消した。
２　当審では、請求項４に係る発明は明確でないとの拒絶の理由を通知しているが、平成３０年７月９日になされた手続補正により、補正前の請求項４は削除された結果、この拒絶理由は解消した。
第７　むすび
　以上のとおり、本願発明１ないし６は、引用発明及び引用文献１に記載の技術的事項に基づいて、当業者が容易に発明をすることができたものではない。
　したがって、原査定の理由によっては、本願を拒絶することはできない。
　また、当審拒絶理由によっても、本願を拒絶することはできない。
　そして、他に本願を拒絶すべき理由を発見しない。
　よって、結論のとおり審決する。